(57)【特許請求の範囲】
【請求項１】
出力するステレオ方式の楽音に対応して設けられた複数の鍵を有する鍵盤と、
その鍵盤が取り付けられると共に、上方へ向けて開放された開口部が設けられた筐体と、
その筐体内において前記鍵盤の低音側に配置され、前記鍵の押鍵に対応する前記楽音の左チャンネルを前記筐体の開放部へ向けて出力する左配置第１スピーカと、
前記左配置第１スピーカに対して前記鍵盤の高音側に配置され、前記鍵の押鍵に対応する前記楽音の右チャンネルを前記筐体の開放部へ向けて出力する右配置第１スピーカと、
前記筐体内において前記左および右配置第１スピーカよりも前記鍵盤に対して奥側に配置されると共に、前記鍵盤の低音側に配置され、前記鍵の押鍵に対応する前記楽音の右チャンネルを前記筐体の開放部へ向けて出力する左配置第２スピーカと、
前記筐体内において前記左および右配置第１スピーカよりも前記鍵盤に対して奥側に配置されると共に、前記左配置第２スピーカに対して前記鍵盤の高音側に配置され、前記鍵の押鍵に対応する前記楽音の左チャンネルを前記筐体の開放部へ向けて出力する右配置第２スピーカとを備えていることを特徴とする電子楽器。
【請求項２】
前記左および右配置第２スピーカは、前記左および右配置第１スピーカの離間距離よりも短い離間距離となる位置に配置されると共に、前記左および右配置第１スピーカの離間範囲内に配置されるものであることを特徴とする請求項１記載の電子楽器。
【請求項３】
前記筐体は、その筐体内において前記鍵盤側から前記奥側方向へ弦を張るアコースティックグランドピアノを模った形状であり、
前記左配置第２スピーカは、前記アコースティックグランドピアノとして前記筐体が使用されると想定した場合に、その筐体内に設けられる長駒の配設位置に対応する位置に配置されており、
前記右配置第２スピーカは、前記アコースティックグランドピアノとして前記筐体が使用されると想定した場合に、その筐体内に設けられる短駒の配設位置に対応する位置に配置されていることを特徴とする請求項２記載の電子楽器。
【発明の詳細な説明】
【技術分野】
【０００１】
本発明は電子楽器に関し、特に、聴者の位置に拘らず、その聴者へ、自然なステレオ方式の楽音（自然な広がりを持つ楽音）を与えることができる電子楽器に関するものである。
【背景技術】
【０００２】
鍵の押鍵に対応してステレオ方式の楽音を出力する電子楽器に関しては、例えば、特開２００６−００３４２９号公報の図１２に記載の電子楽器が知られている。この電子楽器では、５６Ｌ，５６Ｒ，５７Ｌ，５７Ｒの４つのスピーカが設けられており、スピーカ５６Ｌおよび５７Ｌからは、鍵の押鍵に対応する楽音の左チャンネルを上方へ向けて出力し、スピーカ５６Ｒおよび５７Ｒからは、鍵の押鍵に対応する楽音の右チャンネルを上方へ向けて出力する。これにより、電子楽器から出力される楽音に広がりを持たせている。
【先行技術文献】
【特許文献】
【０００３】
【特許文献１】特開２００６−００３４２９号公報
【発明の概要】
【発明が解決しようとする課題】
【０００４】
ここで、上述の電子楽器では、楽音の左チャンネルの伝播方向、即ち、楽音の低域音を主とする成分の伝播方向は、スピーカ５６Ｌとスピーカ５７Ｌとを直線で結ぶ方向（例えば、スピーカ５６Ｌの中心とスピーカ５７Ｌの中心とを直線で結ぶ方向）が支配的となり、楽音の右チャンネルの伝播方向、即ち、楽音の高域音を主とする成分の伝播方向は、スピーカ５６Ｒとスピーカ５７Ｒとを直線で結ぶ方向が支配的となる。これにより、この電子楽器においては、楽音の低域音を主とする成分の伝播方向と、楽音の高域音を主とする成分の伝播方向とが交差する位置は（楽音の低域音を主とする成分と、楽音の高域音を主とする成分との大部分が合成される位置は）、上述の電子楽器から離れた位置となる。その結果、伝播方向が交差する位置までにおいては、低域音を主とする成分と高域音を主とする成分との合成が少なくなる。よって、伝播方向が交差する位置と電子楽器との間に聴者が存在する場合には、その聴者へ、低域音或いは高域音のいずれか一方の成分が支配的となった楽音を与え、結果、不自然なステレオ方式の楽音（広がりの少ない楽音）を与えてしまうという問題点があった。また、上述の電子楽器の左側（スピーカ５６Ｌおよびスピーカ５７Ｌが配置される側）に聴者が存在する場合には、その聴者へ、低域音の成分が支配的となった楽音を与える一方で、上述の電子楽器の右側（スピーカ５６Ｒおよびスピーカ５７Ｒが配置される側）に聴者が存在する場合には、その聴者へ、高域音の成分が支配的となった楽音を与えることとなる。よって、この場合も、不自然なステレオ方式の楽音（広がりの少ない楽音）を与えてしまうという問題点があった。
【０００５】
本発明は、上述した問題点を解決するためになされたものであり、聴者の位置に拘らず、その聴者へ、自然なステレオ方式の楽音（自然な広がりを持つ楽音）を与えることができる電子楽器を提供することを目的としている。
【課題を解決するための手段】
【０００６】
この目的を達成するために請求項１記載の電子楽器は、出力するステレオ方式の楽音に対応して設けられた複数の鍵を有する鍵盤と、その鍵盤が取り付けられると共に、上方へ向けて開放された開口部が設けられた筐体と、その筐体内において前記鍵盤の低音側に配置され、前記鍵の押鍵に対応する前記楽音の左チャンネルを前記筐体の開放部へ向けて出力する左配置第１スピーカと、前記左配置第１スピーカに対して前記鍵盤の高音側に配置され、前記鍵の押鍵に対応する前記楽音の右チャンネルを前記筐体の開放部へ向けて出力する右配置第１スピーカと、前記筐体内において前記左および右配置第１スピーカよりも前記鍵盤に対して奥側に配置されると共に、前記鍵盤の低音側に配置され、前記鍵の押鍵に対応する前記楽音の右チャンネルを前記筐体の開放部へ向けて出力する左配置第２スピーカと、前記筐体内において前記左および右配置第１スピーカよりも前記鍵盤に対して奥側に配置されると共に、前記左配置第２スピーカに対して前記鍵盤の高音側に配置され、前記鍵の押鍵に対応する前記楽音の左チャンネルを前記筐体の開放部へ向けて出力する右配置第２スピーカとを備えている。
【０００７】
請求項２記載の電子楽器は、請求項１記載の電子楽器において、前記左および右配置第２スピーカは、前記左および右配置第１スピーカの離間距離よりも短い離間距離となる位置に配置されると共に、前記左および右配置第１スピーカの離間範囲内に配置されるものである。
【０００８】
請求項３記載の電子楽器は、請求項２記載の電子楽器において、前記筐体は、その筐体内において前記鍵盤側から前記奥側方向へ弦を張るアコースティックグランドピアノを模った形状であり、前記左配置第２スピーカは、前記アコースティックグランドピアノとして前記筐体が使用されると想定した場合に、その筐体内に設けられる長駒の配設位置に対応する位置に配置されており、前記右配置第２スピーカは、前記アコースティックグランドピアノとして前記筐体が使用されると想定した場合に、その筐体内に設けられる短駒の配設位置に対応する位置に配置されている。
【発明の効果】
【０００９】
請求項１記載の電子楽器によれば、鍵盤の低音側に配置される左配置第１スピーカは、楽音の左チャンネルを筐体の開口部へ向けて出力し、鍵盤の高音側に配置される右配置第１スピーカは、楽音の右チャンネルを筐体の開口部へ向けて出力する。これとは逆に、左および右配置第１スピーカよりも奥側に配置され、鍵盤の低音側に配置される左配置第２スピーカは、楽音の右チャンネルを筐体の開口部へ向けて出力し、左および右配置第１スピーカよりも奥側に配置され、鍵盤の高音側に配置される右配置第２スピーカは、楽音の左チャンネルを筐体の開口部へ出力する。よって、楽音の左チャンネルの伝播方向、即ち、楽音の低域音を主とする成分の伝播方向は、左配置第１スピーカと右配置第２スピーカとを直線で結ぶ方向が支配的となる。同様に、楽音の右チャンネルの伝播方向、即ち、楽音の高域音を主とする成分の伝播方向は、左配置第１スピーカと右配置第２スピーカとを直線で結ぶ方向が支配的となる。これにより、楽音の低域音を主とする成分の伝播方向と、楽音の高域音を主とする成分の伝播方向とを、筐体内で交差させることができる。つまり、低域音を主とする成分と、高域音を主とする成分とを、筐体内で合成することができる。結果、筐体外において、低域音或いは高域音のいずれか一方の成分が、聴者の位置によって支配的になることを低減することができる。従って、聴者の位置に拘らず、その聴者へ、自然なステレオ方式の楽音（自然な広がりを持つ楽音）を与えることができるという効果がある。なお、第１スピーカと第２スピーカとを直線で結ぶ方向とは、例えば、第１スピーカの中心と第２スピーカの中心とを直線で結ぶ方向や、第１スピーカの外周と第２スピーカの外周とに接する接線の方向が例示される。
【００１０】
請求項２記載の電子楽器によれば、請求項１記載の電子楽器の奏する効果に加え、左および右配置第２スピーカは、左および右配置第１スピーカの離間距離よりも短い離間距離となる位置であると共に、左および右配置第１スピーカの離間範囲内に配置される。よって、左および右配置第２スピーカから出力される楽音により、左配置第１スピーカと右配置第１スピーカとの間に定位する楽音を形成することができる。従って、特に、鍵盤付近あるいは奥側付近に聴者が位置する場合であっても、その聴者に、左配置第１スピーカと右配置第１スピーカとの間に定位する楽音が不足しているという違和感を与えてしまうことを低減することができる。結果、その聴者へ、自然なステレオ方式の楽音（自然な広がりを持つ楽音）を与えることができるという効果がある。
【００１１】
請求項３記載の電子楽器によれば、請求項２記載の電子楽器の奏する効果に加え、アコースティックグランドピアノとして筐体が使用されると想定した場合に、その筐体内に設けられる長駒の配設位置に対応する位置に（想定される長駒の配設位置に対応する位置に）、左配置第２スピーカが配置され、その筐体内に設けられる短駒の配設位置に対応する位置に（想定される短駒の配設位置に対応する位置に）、右配置第２スピーカが配置される。よって、左配置第２スピーカから出力される楽音の右チャンネルにより、アコースティックグランドピアノの長駒を介して出力される楽音を模倣することができ、右配置第２スピーカから出力される楽音の左チャンネルにより、アコースティックグランドピアノの短駒を介して出力される楽音を模倣することができる。従って、請求項３記載の電子楽器によれば、アコースティックグランドピアノから出力される楽音を忠実に模倣することができ、結果、アコースティックグランドピアノから出力されたかのような楽音を聴者へ与えることができるという効果がある。
【図面の簡単な説明】
【００１２】
【図１】本発明の一実施形態である電子ピアノの斜視図である。
【図２】電子ピアノの電気的構成を示したブロック図である。
【図３】（ａ）は、各スピーカの配置位置を示した電子ピアノの上面図であり、（ｂ）は、各スピーカから出力される楽音の伝播を模式的に示した図である。
【図４】矢印Ｚ方向視における第２実施形態の電子ピアノの上面図である。
【発明を実施するための形態】
【００１３】
以下、本発明の好ましい実施例について、添付図面を参照して説明する。図１は、本発明の一実施形態である電子ピアノ１において、大屋根８が開放されている状態を示す斜視図である。なお、以下の説明においては、電子ピアノ１を演奏者から見た場合の手前側（図３（ａ）の紙面下側）を「前」、奥側（図３（ａ）の紙面上側）を「後」とし、多数の鍵３の低音側（図３（ａ）の紙面左側）を「左」とし、更に、鍵３の高音側（図３（ａ）の紙面右側）を「右」として説明する。
【００１４】
図１に示すように、電子ピアノ１は、アコースティックグランドピアノ（弦を水平に張ったピアノ）を模した電子ピアノであり、水平方向に延設される底板（図示せず）の周縁を側板１３で取り囲むことにより形成されるピアノ本体２と、そのピアノ本体２に固着される鍵盤４と、ピアノ本体２に対して回動可能に連結される大屋根８と、その大屋根８を開放状態でピアノ本体２に支持する支持棒１１と、ピアノ本体２を支持する３本の脚６と（左右一対の脚部のみ図示し、後方の脚部は図示せず）、ピアノ本体２から下方へ延びるペダル７とを有している。
【００１５】
ピアノ本体２は、後述するＣＰＵ２２等が搭載された電子回路や各スピーカ９Ｌ（Ｌ），９Ｒ（Ｒ），１０Ｌ（Ｒ），１０Ｒ（Ｌ）等を内蔵する筐体である。このピアノ本体２の前面には、複数の鍵３が設けられた鍵盤４が固着される。また、ピアノ本体２の上面には、平板状の響板５が設けられており、その響板５には、上方に向けて開放された４つの開口部が設けられている。その各開口部には、４個のスピーカ９Ｌ（Ｌ），９Ｒ（Ｒ），１０Ｌ（Ｒ），１０Ｒ（Ｌ）が、振動板を上方に向けて嵌め込まれている。なお、各スピーカに記載のアルファベット「Ｌ，Ｒ」は、スピーカの配置位置を示しており、各スピーカに記載の括弧書きのアルファベット「（Ｌ），（Ｒ）」は、出力するステレオ方式の楽音のチャンネルを示している。例えば、スピーカ９Ｌ（Ｌ）であれば、響板５の左側に配置され、楽音のＬチャンネル（左チャンネル）を出力する。なお、各スピーカ９Ｌ（Ｌ），９Ｒ（Ｒ），１０Ｌ（Ｒ），１０Ｒ（Ｌ）の配置の詳細については、図３を参照して後述する。
【００１６】
次に、図２を参照して、電子ピアノ１の電気的構成について説明する。図２は、電子ピアノ１の電気的構成を示したブロック図である。
【００１７】
電子ピアノ１は、ＣＰＵ２２と、ＲＯＭ２３と、ＲＡＭ２４と、フラッシュメモリ２５と、鍵盤４と、操作パネル２６と、ペダル７と、音源２７とを有し、これらは、バスライン３０を介して互いに接続されている。更に、電子ピアノ１は、Ｄ／Ａ変換器２８と、アンプ２９Ｌ，２９Ｒと、スピーカ９Ｌ（Ｌ），９Ｒ（Ｒ），１０Ｌ（Ｒ），１０Ｒ（Ｌ）とを有している。音源２７は、Ｄ／Ａ変換器２８の入力に接続され、Ｄ／Ａ変換器２８の出力は、アンプ２９Ｌ，２９Ｒの各入力に接続されている。アンプ２９Ｌの出力は、スピーカ９Ｌ（Ｌ），１０Ｒ（Ｌ）に接続され、アンプ２９Ｒの出力は、スピーカ９Ｒ（Ｒ），１０Ｌ（Ｒ）に接続されている。
【００１８】
ＣＰＵ２２は、演算処理装置であり、ＲＯＭ２３は、ＣＰＵ２２により実行される各種の制御プログラムやその実行の際に参照される固定値データを記憶するメモリである。ＲＡＭ２４は、ＲＯＭ２３に記憶される制御プログラムの実行に当たって各種のデータ等を一時的に記憶するための書き換え可能なメモリである。フラッシュメモリ２５は、電子ピアノ１の電源がオフされた場合でも、内容を継続して記憶する不揮発性のメモリである。
【００１９】
鍵盤４は、複数の白鍵３および黒鍵３（図１参照）を有している。演奏者により押鍵が行われると、ＣＰＵ２２は、その押鍵に応じた速度を各鍵毎に算出する。また、演奏者により離鍵が行われると、ＣＰＵ２２は、その離鍵に応じた速度を各鍵毎に算出する。ここで、本実施形態の電子ピアノ１では、演奏者による押鍵または離鍵が行われた場合には、公知の処理と同様の処理を行う。
【００２０】
操作パネル２６は、各種ボリュームやスイッチ等を有しており、各種モードや楽音のパラメータ等を、演奏者により設定可能に構成されている。ペダル７は、鍵盤４の下方且つ演奏者の足元に配置され、演奏者が足で踏み込むことにより操作を行う装置である。
【００２１】
音源２７は、ＤＳＰ２７ａを内蔵しており、鍵盤４の押鍵が行われた場合に、ＣＰＵ２２から出力される楽音情報に対応する音高および音色のステレオ方式のデジタル楽音信号を生成する一方、鍵盤４の離鍵が行われた場合には、デジタル楽音信号の生成を停止する。ここで、ステレオ方式のデジタル楽音信号とは、Ｌチャンネル（左チャンネル）およびＲチャンネル（右チャンネル）を有するデジタル楽音信号を示している。音源２７からステレオ方式のデジタル楽音信号が出力されると、Ｄ／Ａ変換器２８により、ステレオ方式のデジタル楽音信号が、ステレオ方式のアナログ楽音信号へ変換される。
【００２２】
Ｄ／Ａ変換器２８により出力されたＬチャンネルのアナログ楽音信号は、アンプ２９Ｌに入力されて、増幅される。そして、増幅された楽音信号が楽音に変換され、スピーカ９Ｌ（Ｌ），１０Ｒ（Ｌ）から出力される。これにより、スピーカ９Ｌ（Ｌ），１０Ｒ（Ｌ）から出力される楽音は、押鍵に対応する楽音のＬチャンネル、即ち、楽音の低域音を主とする成分となる。
【００２３】
一方、Ｄ／Ａ変換器２８により出力されたＲチャンネルのアナログ楽音信号は、アンプ２９Ｒに入力されて、増幅される。そして、増幅された楽音信号が楽音に変換され、スピーカ９Ｒ（Ｒ），１０Ｌ（Ｒ）から出力される。これにより、スピーカ９Ｒ（Ｒ），１０Ｌ（Ｒ）から出力される楽音は、押鍵に対応する楽音のＲチャンネル、即ち、楽音の高域音を主とする成分となる。
【００２４】
次に、図３を参照して、各スピーカ９Ｌ（Ｌ），９Ｒ（Ｒ），１０Ｌ（Ｒ），１０Ｒ（Ｌ）の配置位置の詳細について説明する。図３（ａ），（ｂ）は、矢印Ｚ（図１参照）方向視における電子ピアノ１の上面図である。なお、図３においては、ピアノ本体２、鍵盤４、響板５および各スピーカ９Ｌ（Ｌ），９Ｒ（Ｒ），１０Ｌ（Ｒ），１０Ｒ（Ｌ）以外の部材については、図示を省略している。
【００２５】
ここで、図３（ａ）は、各スピーカ９Ｌ（Ｌ），９Ｒ（Ｒ），１０Ｌ（Ｒ），１０Ｒ（Ｌ）の配置位置を示しており、図３（ｂ）は、各スピーカ９Ｌ（Ｌ），９Ｒ（Ｒ），１０Ｌ（Ｒ），１０Ｒ（Ｌ）から出力される楽音の伝播を模式的に示している。
【００２６】
図３（ａ）に示すように、スピーカ９Ｌ（Ｌ）およびスピーカ９Ｒ（Ｒ）は、ピアノ本体２内に配置されている。具体的には、スピーカ９Ｌ（Ｌ）は、響板５において鍵盤４側（前側）に配置されると共に、鍵盤４の低音側（左側）に配置され、スピーカ９Ｒ（Ｒ）は、響板５において鍵盤４側（前側）に配置されると共に、鍵盤４の高音側（右側）に配置されている。
【００２７】
また、スピーカ１０Ｌ（Ｒ）およびスピーカ１０Ｒ（Ｌ）も、ピアノ本体２内に配置されている。具体的には、スピーカ１０Ｌ（Ｒ）は、響板５においてスピーカ９Ｌ（Ｌ）およびスピーカ９Ｒ（Ｒ）よりも鍵盤４に対して後側（奥側）に配置されると共に、鍵盤４の低音側（左側）に配置されている。また、スピーカ１０Ｒ（Ｌ）は、響板５においてスピーカ９Ｌ（Ｌ）およびスピーカ９Ｒ（Ｒ）よりも鍵盤４に対して後側（奥側）に配置されると共に、鍵盤４の高音側（右側）に配置されている。
【００２８】
ここで、図３（ｂ）を参照して、各スピーカ９Ｌ（Ｌ），９Ｒ（Ｒ），１０Ｌ（Ｒ），１０Ｒ（Ｌ）から出力される楽音の伝播について説明する。スピーカ９Ｌ（Ｌ）は、押鍵に対応する楽音のＬチャンネルを出力し、スピーカ９Ｒ（Ｒ）は、押鍵に対応する楽音のＲチャンネルを出力する。これとは逆に、スピーカ１０Ｌ（Ｒ）は、押鍵に対応する楽音のＲチャンネルを出力し、スピーカ１０Ｒ（Ｌ）は、押鍵に対応する楽音のＬチャンネルを出力する。よって、楽音のＬチャンネルの伝播方向、即ち、楽音の低域音を主とする成分の伝播方向は、スピーカ９Ｌ（Ｌ）とスピーカ１０Ｒ（Ｌ）とを直線で結ぶ方向である矢印Ｙａ方向が支配的となる。同様に、楽音のＲチャンネルの伝播方向、即ち、楽音の高域音を主とする成分の伝播方向は、スピーカ９Ｒ（Ｒ）とスピーカ１０Ｌ（Ｒ）とを直線で結ぶ方向である矢印Ｙｂ方向が支配的となる。これにより、楽音の低域音を主とする成分の伝播方向と、楽音の高域音を主とする成分の伝播方向とを、ピアノ本体２内で交差させることができる。つまり、低域音を主とする成分と、高域音を主とする成分とを、ピアノ本体２内で合成することができると共に、楽音の中域音の伝播領域をＭの領域に広げることができる。よって、ピアノ本体２外において、低域音或いは高域音のいずれか一方の成分が、聴者の位置によって支配的になることを低減することができる。従って、聴者の位置に拘らず（ピアノ本体２外の前側、後側、右側または左側に聴者が居ても）、その聴者へ、自然なステレオ方式の楽音（自然な広がりを持つ楽音）を与えることができる。
【００２９】
なお、図３（ａ）に示すように、電子ピアノ１では、スピーカ１０Ｌ（Ｒ）の中心ＰＬ２とスピーカ１０Ｒ（Ｌ）の中心ＰＲ２との離間距離ａは、スピーカ９Ｌ（Ｌ）の中心ＰＬ１とスピーカ９Ｒ（Ｒ）の中心ＰＲ１との離間距離ｄよりも短い距離となっている。更に、スピーカ１０Ｌ（Ｒ）およびスピーカ１０Ｒ（Ｌ）は、スピーカ９Ｌ（Ｌ）およびスピーカ９Ｒ（Ｒ）の離間距離内に配置されている。
【００３０】
ここで、離間距離内とは、響板５における次の領域を示している。即ち、スピーカ９Ｌ（Ｌ）の左側の外周に接すると共に、鍵盤４の左右方向に垂直な接線Ｓ１と、スピーカ９Ｒ（Ｒ）の右側の外周に接すると共に、鍵盤４の左右方向に垂直な接線Ｓ２と、スピーカ９Ｌ（Ｌ）およびスピーカ９Ｒ（Ｒ）の後側（奥側）の外周に接する接線Ｓ３とで囲まれる響板５における領域（図３（ａ）の斜線部分）を示している。
【００３１】
上述したスピーカ１０Ｌ（Ｒ）およびスピーカ１０Ｒ（Ｌ）の配置位置により、鍵盤４から後側（奥側）方向を視た場合に、スピーカ１０Ｌ（Ｒ）およびスピーカ１０Ｒ（Ｌ）は、スピーカ９Ｌ（Ｌ）とスピーカ９Ｒ（Ｒ）との間に位置することになる。よって、スピーカ１０Ｌ（Ｒ）およびスピーカ１０Ｒ（Ｌ）から出力される楽音により、スピーカ９Ｌ（Ｌ）とスピーカ９Ｒ（Ｒ）との間に定位する楽音を形成することができる。従って、特に、鍵盤４付近あるいはピアノ本体２の後側（奥側）付近に聴者が位置する場合であっても、その聴者に、スピーカ９Ｌ（Ｌ）とスピーカ９Ｒ（Ｒ）との間に定位する楽音が不足しているという違和感を与えてしまうことを低減することができる。結果、その聴者へ、自然なステレオ方式の楽音（自然な広がりを持つ楽音）を与えることができる。
【００３２】
また、図３（ａ）に示すように、電子ピアノ１では、ピアノ本体２の左端からピアノ本体２の右端へ、スピーカ１０Ｌ（Ｒ）の中心ＰＬ２およびスピーカ１０Ｒ（Ｌ）の中心ＰＲ２を通る直線を引いた場合に、スピーカ１０Ｌ（Ｒ）の中心ＰＬ２からピアノ本体２の左端までの距離ｂと、スピーカ１０Ｒ（Ｌ）の中心ＰＲ２からピアノ本体２の右端までの距離ｃとを足した距離よりも、離間距離ａを短い距離としている。このように、スピーカ１０Ｌ（Ｒ）およびスピーカ１０Ｒ（Ｌ）を極力近づけることによっても、低域音を主とする成分と、高域音を主とする成分とを、ピアノ本体２内で合成することができる。
【００３３】
更に、図３（ａ）に示すように、電子ピアノ１では、アコースティックグランドピアノ（鍵盤４側から後側（奥側）方向へ弦を水平に張ったピアノ）としてピアノ本体２が使用されると想定された場合に、そのピアノ本体２内に設けられる長駒の配置位置に対応する位置（想定される長駒の配置位置上）に、スピーカ１０Ｌ（Ｒ）を配置している。また、アコースティックグランドピアノとしてピアノ本体２が使用されると想定された場合に、そのピアノ本体２内に設けられる短駒の配置位置に対応する位置（想定される短駒の配置位置上）に、スピーカ１０Ｒ（Ｌ）を配置している。
【００３４】
よって、スピーカ１０Ｌ（Ｒ）から出力される楽音のＲチャンネルにより、アコースティックグランドピアノの長駒を介して出力される楽音を模倣することができ、スピーカ１０Ｒ（Ｌ）から出力される楽音のＬチャンネルにより、アコースティックグランドピアノの短駒を介して出力される楽音を模倣することができる。従って、電子ピアノ１によれば、アコースティックグランドピアノから出力される楽音を忠実に模倣することができ、結果、アコースティックグランドピアノから出力されたかのような楽音を聴者へ与えることができる。
【００３５】
以上の通り、本実施形態の電子ピアノ１によれば、スピーカ９Ｌ（Ｌ）およびスピーカ１０Ｒ（Ｌ）から楽音のＬチャンネルを出力し、スピーカ９Ｒ（Ｒ）およびスピーカ１０Ｌ（Ｒ）から楽音のＲチャンネルを出力する。これにより、低域音を主とする成分と、高域音を主とする成分とを、ピアノ本体２内で合成することができると共に、楽音の中域音の伝播領域をＭの領域に広げることができる。よって、ピアノ本体２外において、低域音或いは高域音のいずれか一方の成分が、聴者の位置によって支配的になることを低減することができる。従って、聴者の位置に拘らず、その聴者へ、自然なステレオ方式の楽音（自然な広がりを持つ楽音）を与えることができる。
【００３６】
次に、図４を参照して、第２実施形態の電子ピアノ１、即ち、スピーカ１０Ｌ（Ｒ）およびスピーカ１０Ｒ（Ｌ）の配置位置を変更した電子ピアノ１について説明する。図４は、矢印Ｚ（図１参照）方向視における第２実施形態の電子ピアノ１の上面図であり、各スピーカ９Ｌ（Ｌ），９Ｒ（Ｒ），１０Ｌ（Ｒ），１０Ｒ（Ｌ）の配置位置を示している。なお、図４においては、図３と同様に、ピアノ本体２、鍵盤４、響板５およびスピーカ９Ｌ（Ｌ），９Ｒ（Ｒ），１０Ｌ（Ｒ），１０Ｒ（Ｌ）以外の部材については、図示を省略している。
【００３７】
図４に示すように、スピーカ１０Ｌ（Ｒ）およびスピーカ１０Ｒ（Ｌ）は、図３に示す第１実施形態と同様、スピーカ９Ｌ（Ｌ）およびスピーカ９Ｒ（Ｒ）の離間距離内に配置されている。そして、スピーカ１０Ｌ（Ｒ）の中心ＰＬ２とスピーカ１０Ｒ（Ｌ）の中心ＰＲ２との離間距離ａは、距離ｂと距離ｃとの和よりも、短い距離としている。そして、スピーカ１０Ｌ（Ｒ）は、想定される長駒の配置位置に対応する位置（長駒の配置位置上）に配置され、スピーカ１０Ｒ（Ｌ）は、想定される短駒の配置位置に対応する位置（短駒の配置位置上）に配置されている。
【００３８】
その上で、図４に示すように、スピーカ１０Ｌ（Ｒ）の鍵盤４の低音側（左側）の外周と接線Ｓ１とが接するように、スピーカ１０Ｌ（Ｒ）を配置している。これに合わせて、離間距離ａを保つ位置、且つ短駒の配置位置上に、スピーカ１０Ｒ（Ｌ）を配置している。このように、スピーカ１０Ｌ（Ｒ）の配置位置は、第１実施形態の電子ピアノ１に示すように（図３参照）、接線Ｓ１から鍵盤４の高音側（右側）に離間した位置に限られるものではない。なお、スピーカ１０Ｌ（Ｒ）を、図４に示す位置に配置したとしても、楽音の低域音を主とする成分の伝播方向と、楽音の高域音を主とする成分の伝播方向とを、ピアノ本体２内で交差させることができる。よって、聴者の位置に拘らず（ピアノ本体２外の前側、後側、右側または左側に聴者が居ても）、その聴者へ、自然なステレオ方式の楽音（自然な広がりを持つ楽音）を与えることができる。また、スピーカ１０Ｌ（Ｒ）およびスピーカ１０Ｒ（Ｌ）から出力される楽音により、スピーカ９Ｌ（Ｌ）とスピーカ９Ｒ（Ｒ）との間に定位する楽音を形成することができる。よって、スピーカ９Ｌ（Ｌ）とスピーカ９Ｒ（Ｒ）との間に定位する楽音が不足しているという違和感を与えてしまうことを低減することができる。更には、アコースティックグランドピアノから出力される楽音を忠実に模倣することができる。
【００３９】
以上、本実施形態に基づき本発明を説明したが、本発明は上記形態に何ら限定されるものではなく、本発明の趣旨を逸脱しない範囲内で種々の変形改良が可能であることは容易に推察できるものである。
【００４０】
上述の第１実施形態および第２実施形態においては、スピーカ９Ｌ（Ｌ）とスピーカ９Ｒ（Ｒ）との間に定位する楽音が不足しているという違和感を与えてしまうことを低減すると共に、アコースティックグランドピアノから出力される楽音を忠実に模倣するために、スピーカ９Ｌ（Ｌ）およびスピーカ９Ｒ（Ｒ）の離間距離内であり、且つ、想定される長駒の配置位置に対応する位置に、スピーカ１０Ｌ（Ｒ）を配置し、スピーカ９Ｌ（Ｌ）およびスピーカ９Ｒ（Ｒ）の離間距離内であり、且つ、想定される短駒の配置位置に対応する位置に、スピーカ１０Ｒ（Ｌ）を配置した。しかし、これに限られるものではなく、アコースティックグランドピアノから出力される楽音を模倣する必要がなければ、スピーカ１０Ｌ（Ｒ）およびスピーカ１０Ｒ（Ｌ）を、想定される長駒および短駒の配置位置に関係なく、スピーカ９Ｌ（Ｌ）およびスピーカ９Ｒ（Ｒ）の離間距離内に配置すれば良い。この構成の場合でも、スピーカ９Ｌ（Ｌ）とスピーカ９Ｒ（Ｒ）との間に定位する楽音を形成することができる。従って、特に、鍵盤４付近あるいはピアノ本体２の後側（奥側）付近に聴者が位置する場合であっても、その聴者に、スピーカ９Ｌ（Ｌ）とスピーカ９Ｒ（Ｒ）との間に定位する楽音が不足しているという違和感を与えてしまうことを低減することができる。
【００４１】
また、上述の第１実施形態および第２実施形態においては、スピーカ１０Ｌ（Ｒ）の中心ＰＬ２とスピーカ１０Ｒ（Ｌ）の中心ＰＲ２との離間距離ａを、距離ｂと距離ｃとを足した距離よりも、短い距離にすることによっても（スピーカ１０Ｌ（Ｒ）およびスピーカ１０Ｒ（Ｌ）を極力近づけることによっても）、低域音を主とする成分と、高域音を主とする成分とを、ピアノ本体２内で合成したが、これに限られるものではない。即ち、低域音を主とする成分と高域音を主とする成分との合成は、矢印Ｙａ，Ｙｂ（図３（ｂ）参照）をピアノ本体２内で交差させることが最も効果的であり、スピーカ１０Ｌ（Ｒ）およびスピーカ１０Ｒ（Ｌ）を極力近づけることによる合成は、補助的となる。よって、矢印Ｙａ，Ｙｂをピアノ本体２内で交差させることで、低域音を主とする成分と高域音を主とする成分との合成が十分に行われる場合には、スピーカ１０Ｌ（Ｒ）の中心ＰＬ２とスピーカ１０Ｒ（Ｌ）の中心ＰＲ２との離間距離ａを、距離ｂと距離ｃとを足した距離よりも、短い距離とする必要はない。この場合には、スピーカ１０Ｌ（Ｒ）およびスピーカ１０Ｒ（Ｌ）を、スピーカ９Ｌ（Ｌ）およびスピーカ９Ｒ（Ｒ）の離間距離内に配置した上で、スピーカ１０Ｌ（Ｒ）の中心ＰＬ２とスピーカ１０Ｒ（Ｌ）の中心ＰＲ２との離間距離ａを、距離ｂと距離ｃとを足した距離と同一の距離、或いは距離ｂと距離ｃとを足した距離よりも長い距離としても良い。
【００４２】
また、上述の第１実施形態および第２実施形態においては、各スピーカ９Ｌ（Ｌ），９Ｒ（Ｒ），１０Ｌ（Ｒ），１０Ｒ（Ｌ）を配置する対象を、アコースティックグランドピアノを模した電子ピアノ１としたが、これに限られるものではない。即ち、各スピーカ９Ｌ（Ｌ），９Ｒ（Ｒ），１０Ｌ（Ｒ），１０Ｒ（Ｌ）を配置する対象を、電子オルガンやシンセサイザーとしても良い。なお、例えば、各スピーカ９Ｌ（Ｌ），９Ｒ（Ｒ），１０Ｌ（Ｒ），１０Ｒ（Ｌ）を配置する対象を、電子オルガンとした場合に、その電子オルガンにおいては、電子ピアノ１と比較して前後方向（奥側方向）の幅が狭いことを理由に、スピーカ９Ｌ（Ｌ）とスピーカ９Ｒ（Ｒ）との間に定位する楽音を形成する必要がなければ、スピーカ１０Ｌ（Ｒ）およびスピーカ１０Ｒ（Ｌ）の配置位置を、スピーカ９Ｌ（Ｌ）およびスピーカ９Ｒ（Ｒ）の離間距離内に限る必要はない。よって、このときには、スピーカ１０Ｌ（Ｒ）、またはスピーカ１０Ｒ（Ｌ）のいずれか一方、若しくは両方を、スピーカ９Ｌ（Ｌ）およびスピーカ９Ｒ（Ｒ）の離間距離外に配置しても良い（例えば、スピーカ１０Ｌ（Ｒ）とスピーカ１０Ｒ（Ｌ）との離間距離ａを、スピーカ９Ｌ（Ｌ）およびスピーカ９Ｒ（Ｒ）の離間距離ｄよりも長い距離としても良い）。なお、この場合であっても、楽音の低域音を主とする成分の伝播方向と、楽音の高域音を主とする成分の伝播方向とを、電子オルガン内で交差させることができる。つまり、低域音を主とする成分と、高域音を主とする成分とを、電子オルガン内で合成することができると共に、楽音の中域音の伝播領域を広範囲にすることができる。よって、聴者の位置に拘らず、その聴者へ、自然なステレオ方式の楽音（自然な広がりを持つ楽音）を与えることができる。
【００４３】
また、上述の第１実施形態および第２実施形態においては、各スピーカ９Ｌ（Ｌ），９Ｒ（Ｒ），１０Ｌ（Ｒ），１０Ｒ（Ｌ）を、響板５に設けられた各開口部に嵌め込むことで、各スピーカの振動板を上方に向けたが、各スピーカの振動板の向きは、これに限られるものではない。即ち、各スピーカの振動板を、ピアノ本体２の後側（奥側）方向へ向けて、或いは、ピアノ本体２の前側（鍵盤４側）方向へ向けても良い。また、各スピーカの振動板を、斜めに向けて、具体的には、ピアノ本体２の後側（奥側）方向と上方との間へ向けて、或いは、ピアノ本体２の前側（鍵盤４側）方向と上方との間へ向けても良い。更には、各スピーカの振動板の向きを、各々のスピーカでバラバラにしても良い。なお、各スピーカの振動板を上方以外に向けた場合には、各々のスピーカの振動板が向いた方向に合わせて響板５に、例えば、各スピーカの振動板よりも径が小さい開口部を複数設ける。そして、その複数の開口部へ向けて、各々のスピーカが楽音を出力する構成（複数の開口部へ、各々のスピーカの振動板を向けた構成）にすれば良い。
【符号の説明】
【００４４】
２                ピアノ本体（筐体）
４                鍵盤
９Ｌ（Ｌ）        スピーカ（左配置第１スピーカ）
９Ｒ（Ｒ）        スピーカ（右配置第１スピーカ）
１０Ｌ（Ｒ）      スピーカ（左配置第２スピーカ）
１０Ｒ（Ｌ）      スピーカ（右配置第２スピーカ）
【図１】
0005441509.tif 000002
【図２】
0005441509.tif 000003
【図３】
0005441509.tif 000004
【図４】
0005441509.tif 000005